(57)【要約】【課題】目的とする配光特性を容易に作り出すことが可能な照明装置およびこの照明装置を組み込んだ照明器具を提供する。【解決手段】光源１１と；光源の光を反射させる反射体１３と；反射体に選択して装着され光源の光の照射角度を変更する照射角調整用反射体１４と；を具備する照明装置を構成する。【選択図】        図１
2010073627.tif 000002
【特許請求の範囲】
【請求項１】
光源と；
光源の光を反射させる反射体と；
反射体に選択して装着され光源の光の照射角度を変更する照射角調整用反射体と；
を具備することを特徴とする照明装置。
【請求項２】
半導体発光素子と；
半導体発光素子を配設した基体と；
半導体発光素子の光を反射させる反射体と；
反射体に選択して装着され、前記基体と離間して配設されると共に、導電性反射膜を有する照射角調整用反射体と；
を具備することを特徴とする照明装置。
【請求項３】
複数の半導体発光素子と；
複数の半導体発光素子を配設した基体と；
半導体発光素子の光を反射させる複数の凹部からなる反射体と；
各反射体の凹部に選択して装着され、前記基体と離間して配設されると共に、導電性反射膜を有する一体化された複数の照射角調整用反射体と；
を具備することを特徴とする照明装置。
【請求項４】
器具本体と；
器具本体に組み込まれる請求項１ないし３いずれか一記載の照明装置と；
を具備することを特徴とする照明器具。
【発明の詳細な説明】
【技術分野】
【０００１】
本発明は、所望の配光特性を得ることが可能な照明装置およびこの照明装置を組み込んだ照明器具に関する。
【背景技術】
【０００２】
近年、フィラメント電球に代わって、寿命が長く、また消費電力の少ない半導体発光素子である発光ダイオードを光源として採用した照明器具が商品化されている。例えば、特許文献１に示されるものは、ＬＥＤ素子と、ＬＥＤ素子が実装された基板と、ＬＥＤ素子の発光領域の全域を囲繞するように基板に設けられた反射板および投光レンズからなる天井埋込形のダウンライトが示されている。また、例えば、特許文献２には、基板に白色発光ダイオードを設置し、基板の前方にレンズ固定板、前カバーを配設し、これらをランプシェード内に位置させたスポットライトが示されている。また、例えば、特許文献３には、３種類のフライアイレンズを組み合わせることにより、所望の配光パターンを構成することができるＬＥＤを光源とした照明装置が示されている。さらに、例えば、特許文献４には、ＬＥＤチップに対向して設けられＬＥＤからの光を側方に反射する第１反射部材を第２反射部材の中に設けてグレアの発生を抑制するようにした照明装置が示されている。
【特許文献１】特開２００４−１７９０４８号公報
【特許文献２】特開２００６−２９４５２６号公報
【特許文献３】特開２００７−  ９５６４７号公報
【特許文献４】特開２００８−２０５４１０号公報
【発明の開示】
【発明が解決しようとする課題】
【０００３】
一般に特許文献１に示されるようなダウンライトにおいては、部屋の中心部を主として照明するために、周囲にわたり光度の変化が比較的少ない照明器具を構成するために、光源からの光を広角度に照射する広角用の反射板が用いられている。一方、特許文献２に示されるスポットライトにおいては、店舗等において中心光度を高くして展示物のみをスポット的に照明するためにレンズが用いられている。これら器具の配光は、それぞれの器具の設計時に目的とする性能、用途に合わせて行われている。そのため、商品としては、広角用の照明器具（例えば、ダウンライト）と狭角用の照明器具（例えば、スポットライト）をそれぞれラインナップする必要があり、それぞれの商品を在庫しなければならず在庫数が多くなる問題が生じる。
【０００４】
また、特許文献３によれば、照明の用途に応じて所望の配光パターンを構成することができるが、その構成はレンズで行うため、各種レンズを保持させるためのフライアイレンズ保持板等が必要となって構造が複雑化すると共に、例えば、広角用の照明器具を狭角用の照明器具として構成する場合には、高価なフライアイレンズを広角用および狭角用を共に用意しなければならずコスト的な問題が生じる。また、特許文献４には、第１反射部材を第２反射部材の中に設けて光を制御するようにしているが、その目的はあくまでもグレアを抑制することであり、所望の配光パターンを得ることはできない。このため、この種の照明器具においては、例えば、広角の配光パターンを狭角の配光パターンに必要に応じて容易に変更させることができるなど、商品ラインナップを減じることなく、かつ商品在庫を減少させることが可能な照明装置を如何に実現するかが課題となっている。
【０００５】
本発明は、上記課題に鑑みてなされたもので、目的とする配光特性を容易に作り出すことが可能な照明装置およびこの照明装置を組み込んだ照明器具を提供しようとするものである。
【課題を解決するための手段】
【０００６】
上記目的を達成するために、請求項１に記載の照明装置の発明は、光源と；光源の光を反射させる反射体と；反射体に選択して装着され光源の光の照射角度を変更する照射角調整用反射体と；を具備することを特徴とする。本発明によれば、反射体に選択して装着され光源の光の照射角度を変更する照射角調整用反射体により、反射体の配光パターンを照射角調整用反射体により必要に応じて容易に変更させることが可能となる。
【０００７】
本発明において、照明装置は、ダウンライトやスポットライト等住宅用に限らず、店舗、オフィスなど施設・業務用の各種の照明器具を構成しても、さらには、一般照明用の白熱電球に置き換え可能な発光ダイオードなどを用いたＬＥＤ電球等を構成するものであってもよい。
【０００８】
光源は、発光ダイオードや半導体レーザーなど、半導体を発光源とした半導体発光素子が好適であるが、白熱電球やハロゲン電球、さらには放電灯等で構成されたものであってもよい。光源は複数個で構成されている好ましいが、照明の用途に応じて必要な個数は選択され、例えば、１個の光源で構成されるものであってもよい。
【０００９】
反射体に選択して装着され光源の光の照射角度を変更する照射角調整用反射体は、例えば、広角の配光を有する反射体を照射角調整用反射体により狭角の配光に調整するようにしても、逆に狭角の配光を有する反射体を照射角調整用反射体により広角の配光に調整するようにしてもよく、要は、一方の反射体が有する配光を他方の反射体が有する配光に変更させるように、換言すれば、二つの反射体が有する配光を相対的に変更させて、光源の光の照射角度を任意に調整することができるものであればよい。
【００１０】
また、反射体は、例えば、部屋の中心部を主として照明するために、周囲にわたり光度の変化が比較的少ない広角の配光が得られる照明器具を構成するために、光源からの光を広角度に反射させ、さらに回転対象となる配光を得るために、光源の発光領域を囲繞するように横断面が円形をなす「すり鉢状」の凹部で形成してもよい。また、例えば、横断面が矩形状をなす「すり鉢状」の凹部などの形状でもよく、特定された形状のものには限定されない。材質は、光の反射性能を考慮して、耐光性、耐熱性および電気絶縁性を有する白色の合成樹脂、例えば、ＰＢＴ（ポリブチレンテレフタレート）や、アクリルやＡＢＳ等の合成樹脂で一体に形成してもよい。また、その表面を白色に塗装しても、アルミニウムや銀等の金属を蒸着若しくはメッキなどを施して鏡面または半鏡面に加工したものであってもよい。さらに、アルミニウムや銅等の金属で構成し、上記の合成樹脂と同様に白色塗装や蒸着若しくはメッキ等を行ってもよい。
【００１１】
反射体は、光源の個数に応じ各光源個々に対応して設けるようにしてもよい。個々に設けられた複数個の反射体は、全て同一の配光特性が得られるように構成しても、個々に異なる配光特性を有するものを組み合わせるようにしてもよい。また、複数個の光源に対して１個の共通の反射体を設けるものであってもよい。さらには１個の光源に対して１個の反射体を設けるものであってもよい。
【００１２】
照射角調整用反射体は、反射体に装着することにより、例えば、店舗等において中心光度を高くして展示物のみをスポット的に照明するために光の照射角度を狭くする狭角用反射体で構成することが好適であるが、逆に照射角を、さらに広くするための反射体であってもよく、要は反射体に対し照明の用途、目的に応じて適宜選択され装着されることにより、光源の光の照射角度を調整することが可能な全ての反射体が許容される。
【００１３】
照射角調整用反射体は、例えば、スポット的に照明する狭角の配光を得るために、光源からの光を狭い角度に反射させ、さらに回転対象となる配光を得るために、光源の発光領域を囲繞するように横断面が円形をなす「円錐台状」の凹部で形成してもよい。また、例えば、横断面が矩形状をなす「四角錐台状」の凹部などの形状でもよく、特定された形状のものには限定されない。材質は、反射体と同様に白色のポリブチレンテレフタレート（ＰＢＴ）などの耐熱性合成樹脂、さらには、アクリルやＡＢＳ等の合成樹脂で一体に形成してもよい。また、その表面を白色に塗装しても、アルミニウムや銀等の金属を蒸着若しくはメッキなどを施して鏡面または半鏡面に加工したものであってもよい。さらに、アルミニウムや銅等の金属で構成し、上記の合成樹脂と同様に白色塗装や蒸着若しくはメッキ等を行ってもよい。
【００１４】
照射角調整用反射体は、反射体の個数に応じ各反射体個々に対応して装着するようにしてもよい。個々に設けられた複数個の照射角調整用反射体は、全て同一の配光特性が得られるように構成しても、個々に異なる配光特性を有するものを組み合わせてもよい。また、必要な個数の反射体のみに装着するようにしてもよい。
【００１５】
請求項２に記載の照明装置の発明は、半導体発光素子と；半導体発光素子を配設した基体と；半導体発光素子の光を反射させる反射体と；反射体に選択して装着され、前記基体と離間して配設されると共に、導電性反射膜を有する照射角調整用反射体と；を具備することを特徴とする照明装置。
【００１６】
本発明において、基体は、光源としての半導体発光素子を配設するための部材で、半導体発光素子を実装した回路基板で構成することが好ましいが、回路基板の構成および実装するための手段は特定のものに限定されない。基体の材質は、例えば、エポキシ樹脂等の合成樹脂で構成しても、熱伝導性の観点からアルミニウムや銅等の金属で構成されたものであってもよい。形状は、点モジュールを構成するために円盤状をなす形状であっても、線モジュールを構成する長尺なライン状をなしていてもよく、目的とする配光特性を得るための全ての形状が許容される。
【００１７】
照射角調整用反射体は、基体と離間して配設されると共に、導電性反射膜を有するもので、導電性反射膜は、光の反射性能を考慮して鏡面または半鏡面等に加工するために、合成樹脂にアルミニウムや銀等の金属を蒸着若しくはメッキなどにより形成される反射膜が許容される。さらに、照射角調整用反射体は、半導体発光素子を配設した基板と電気的な絶縁がなされるように、基体と離間して配設されるが離間させる距離寸法は、設計上で決められる全ての寸法が許容される。照射角調整用反射体を基体と離間して配設するための手段は、例えば、反射体の凹部の開口端部に係合するストッパー部材を照射角調整用反射体に形成して所定の離間寸法を保持するようにしても、または、照射角調整用反射体の外面周面の形状を、反射体の「すり鉢状」の凹部に合致する形状に構成して、所定の離間寸法を保持するようにしてもよい。また、電気絶縁は、基板と照射角調整用反射体との間に空間部を形成して行うようにしても、空間部にシリコーン樹脂等の電気絶縁体を介在させて、より確実に電気絶縁を図るようにしてもよい。
【００１８】
請求項３に記載の照明装置の発明は、複数の半導体発光素子と；複数の半導体発光素子を配設した基体と；半導体発光素子の光を反射させる複数の凹部からなる反射体と；各反射体の凹部に選択して装着され、前記基体と離間して配設されると共に、導電性反射膜を有する一体化された複数の照射角調整用反射体と；を具備することを特徴とする。
【００１９】
一体化された複数の照射角調整用反射体は、例えば、複数の照射角調整用反射体を合成樹脂で構成する場合に、樹脂成形の際に必然的に形成されるスプルー・ランナーによって構成されることが好適であるが、連結するための専用の部品により一体化されるものであってもよい。また、一体化された複数の照射角調整用反射体を、例えば、手で簡単に切り離すことができ、必要な個数の照射角調整用反射体を簡単に用意できるようにすることが好ましいが、切り離すことは本発明を実現するための必要条件ではなく、必要に応じて適宜選択される。
【００２０】
請求項４に記載の照明器具の発明は、器具本体と；器具本体に組み込まれる請求項１ないし３いずれか一記載の照明装置と；を具備することを特徴とする。
【発明の効果】
【００２１】
請求項１記載の発明によれば、反射体に選択して装着され光源の光の照射角度を変更する照射角調整用反射体により、反射体の配光パターンを必要に応じて容易に変更させることができ、目的とする配光特性を容易に作り出すことが可能な照明装置を提供することができる。
【００２２】
請求項２記載の発明によれば、反射体に選択して装着される照射角調整用反射体により、反射体の配光パターンを必要に応じて容易に変更させることができ、目的とする配光特性を容易に作り出すことが可能な照明装置を提供することができる。さらに、基体と離間して配設されると共に、導電性反射膜を有する照射角調整用反射体により、導電性反射膜の加工工程が簡易化されると共に、確実に電気絶縁を図ることが可能となる。
【００２３】
請求項３記載の発明によれば、各反射体の凹部に選択して装着される複数の照射角調整用反射体により、各反射体の配光パターンを必要に応じて容易に変更させることができ、目的とする配光特性を容易に作り出すことが可能な照明装置を提供することができる。さらに、基体と離間して配設されると共に、導電性反射膜を有する一体化された複数の照射角調整用反射体により、導電性反射膜の加工工程が簡易化され、確実に電気絶縁を図ることが可能となると共に、組立作業を簡易化させることが可能となる。
【００２４】
請求項４記載の発明によれば、器具本体に組み込まれる請求項１ないし３いずれか一記載の照明装置により、目的とする配光特性を容易に作り出すことが可能な照明器具を提供することができる。
【発明を実施するための最良の形態】
【００２５】
以下、本発明に係る照明装置およびこの照明装置を組み込んだ照明器具の実施形態につき図に従い説明する。
【実施例１】
【００２６】
図１に示すように、本実施例の照明装置１０は、光源１１、光源を配設した基体１２、光源の光を反射させる複数の凹部からなる反射体１３、各反射体の凹部に選択して装着される照射角調整用反射体１４で構成する。
【００２７】
光源１１は、半導体発光素子、本実施例では発光ダイオード（以下「ＬＥＤ」と称す）で構成し、同一性能を有する複数個、本実施例では、６個のＬＥＤ１１が用意され、この各ＬＥＤは、本実施例では青色ＬＥＤチップとこの青色ＬＥＤチップにより励起される黄色蛍光体により白色を発光する高輝度、高出力のＬＥＤからなり、さらに、一方向、すなわちＬＥＤの光軸ｘ−ｘに光線が主として放射される。ここで光軸ｘ−ｘは、ＬＥＤ１１が実装される基体１２の面に対して略鉛直方向のことである（図３（ａ））。基体１２は、回路基板からなり、回路基板はエポキシ樹脂製の円板状の回路配線基板で構成され、表面に６個の各ＬＥＤ１１を同心円状に略等間隔に実装して配設する。
【００２８】
反射体１３は、耐光性、耐熱性および電気絶縁性を有する白色の合成樹脂、本実施例では、ＰＢＴ（ポリブチレンテレフタレート）により円盤状に一体に構成する。円盤の表面側には、表面側に拡開し白色の内面が回転放物面状をなす、同一の形状・寸法を有する凹部１３ａを複数個、本実施例では６個を、基板１２に実装された６個の各ＬＥＤ１１に対向するように同心円状に略等間隔になるように一体に形成する。
【００２９】
凹部１３ａは、個別の６個の反射体を構成するもので、部屋の中心部を主として照明するために、周囲にわたり光度の変化が比較的少ない配光パターンを構成するように、光源であるＬＥＤ１１からの光を広角度に反射させ、さらに回転対象となる配光を得るためにＬＥＤ１１の発光領域を囲繞するように横断面が円形をなす「すり鉢状」の反射面１３ｂを形成し、凹部１３ａの開口を光出射部１３ｃとし底部に貫通孔１３ｄを形成する。また、凹部１３ａは後述する照射角調整用反射体としての狭角用反射体１４が嵌合して装着できる形状になるようにし、さらに光出射部１３ｃの開口縁部に環状の溝部１３ｅを形成する。また、反射体１３を構成する円盤の裏面側には、内部に空間部を形成した開口部１３ｆを形成する。
【００３０】
上記に構成された各ＬＥＤ１１を実装した基体１２を、反射体１３の開口部１３ｆに嵌め込みシリコーン樹脂等の接着剤で固着して支持する。これにより、反射体１３の各凹部１３ａの底面に形成された貫通孔１３ｄの中心に対して、各ＬＥＤ１１が外部に露出して臨むように配置され、各凹部１３ａにより構成された個別の反射体の光軸ｙ−ｙとＬＥＤ１１の光軸ｘ−ｘが略一致した状態に構成され、後述するダウンライト２０を構成するための広角用の照明装置１０が形成される（図３（ａ））。
【００３１】
上記に構成された照明装置１０の反射体１３には、必要に応じ適宜選択されて照射角調整用反射体、本実施例では狭角用反射体１４が装着され、後述するスポットライトを構成するための狭角用の照明装置１０´が形成される。
【００３２】
反射体１３に選択して装着される狭角用反射体１４は、図１に示すように、反射体１３と同様に耐光性、耐熱性および電気絶縁性を有する白色の合成樹脂、本実施例では、ＰＢＴ（ポリブチレンテレフタレート）により構成し、その表面側には、表面側に拡開し白色の内面が回転放物面状をなす凹部１４ａを一体に形成する。凹部１４ａは、店舗等において中心光度を高くして展示物のみをスポット的に照明するために、光源であるＬＥＤ１１からの光を狭い角度に反射させ、さらに回転対象となる配光を得るためにＬＥＤ１１の発光領域を囲繞するように横断面が円形をなす「円錐台状」の反射面１４ｂ（反射体１３の反射面１３ｂの傾斜角度より急角度に傾斜させている）を形成し、凹部１４ａの開口を光出射部１４ｃとし底部に貫通孔１４ｄを形成する。さらに、凹部１４ａの外周面は、反射体１３の「すり鉢状」の凹部１３ａに略合致する「すり鉢状」の凸形状にして嵌合部１４ｅを一体に形成し、光出射部１４ｃの開口縁部にストッパーの作用をなす環状の鍔部１４ｆを一体に形成し、上述した反射体１３における光出射部１３ｃの開口縁部に形成された環状の溝部１３ｅに嵌合できるように構成する。
【００３３】
上記に構成された狭角用反射体１４は、図３（ｂ）に示すように、凸形状の嵌合部１４ｅが反射体１３の「すり鉢状」凹部１３ａに挿入され、光出射部１４ｃの鍔部１４ｆが反射体１３の環状の溝部１３ｅに嵌合し係合するまで挿入する。これにより、狭角用反射体１４の鍔部１４ｆがストッパーの役目をなし、それ以上の挿入が停止されると共に、狭角用反射体１４の凸形状の嵌合部１４ｅが反射体１３の「すり鉢状」凹部１３ａに嵌め込まれ、狭角用反射体１４の上面と反射体１３の上面が面一になる。これにより、狭角用反射体１４の凹部１４ａの底面に形成された貫通孔１４ｄの中心に対して、各ＬＥＤ１１が外部に露出して臨むように配置され、凹部１４ａにより構成された反射面１４ｂの光軸ｚ―ｚとＬＥＤ１１の光軸ｘ−ｘ略一致した状態に構成される（図３（ｂ））。上記のように両者が合致して装着された際に、狭角用反射体１４における凹部１４ａの貫通孔１４ｄの端部と基体１２の表面側、換言すれば、基体１２に実装された各ＬＥＤ１１との間は所定の寸法ａを有して離間されるようにして装着される。
【００３４】
狭角用反射体１４は、反射体１３の６個の各凹部１３ａに対応して、同一の形状・寸法の凹部１４ａを有する６個の狭角用反射体１４が一体化されて設けられる。すなわち、６個の狭角用反射体１４は、図１に示すように、同心円状に略等間隔になるように樹脂成形によって一度に６個が同時に成形され、この際に形成されるスプルー・ランナー１４ｇを残すことによって、６個の狭角用反射体１４が一体化され連結された状態になって構成される。なお、同心円状に略等間隔になるように一体化された６個の狭角用反射体１４における、同心円の直径寸法および間隔寸法は、反射体１３の凹部１３ａが設けられる同心円の直径寸法および間隔寸法と略同一になるように形成する。
【００３５】
これにより、スプルー・ランナー１４ｇにより連結され一体化された６個の狭角用反射体１４を反射体１３の６個の凹部１３ａに対向させれば、６個の狭角用反射体１４が反射体１３の凹部１３ａに自動的に対向して位置し、６個の狭角用反射体１４が同時に略合致した状態で反射体１３の６個の凹部１３ａに挿入され嵌合されて装着される。この状態で、狭角用反射体１４は反射体１３の凹部１３ａに対して着脱が可能となっているが、透明な接着剤で固定してもよい。本実施例では接着せずに着脱が可能な状態にしてある。以上により、狭角用反射体１４を有するスポットライトを構成するための照明装置１０´が形成される（図２、図３（ｂ））。
【００３６】
図１中１３ｇは、反射体１３の表面に狭角用反射体１４のスプルー・ランナー１４ｇに対応して放射状に形成した溝で、この溝内に６個の狭角用反射体１４を連結したスプルー・ランナー１４ｇが収納される。これにより溝１３ｇが６個の狭角用反射体１４を反射体１３の６個の凹部１３ａに対向させる際の位置決めの作用をさせることができる。
【００３７】
また、ＰＢＴからなる６個の狭角用反射体１４は、光の反射性能をさらに向上させるために、反射膜、本実施例では、アルミニウムによる蒸着膜、すなわち、導電性反射膜を施して鏡面に加工される。この際、上記のように、狭角用反射体１４における凹部１４ａの貫通孔１４ｄの端部と、基体１２に実装された各ＬＥＤ１１との間は所定の寸法ａを有して離間されているので、導電性反射膜を施した狭角用反射体１４と基体１２とは確実に電気絶縁がなされて装着される。これにより、狭角用反射体１４にアルミニウムを蒸着する際に、狭角用反射体１４における凹部１４ａの貫通孔１４ｄの端部など、基体１２の表面側と接触する可能性のある部分をマスキングすることなく蒸着作業が行える。
【００３８】
上記に構成した６個の狭角用反射体１４は、各種の配光特性を得るために、スプルー・ランナー１４ｇから切り離し、広角用の反射体１３の個々の凹部１３ａに対して装着するか否かを適宜選択して、必要な個数の狭角用反射体１４を、どの位置にある凹部１３ａに対しても任意に自由に着脱が可能な状態にして嵌め込み装着することができる。
【００３９】
上記に構成された広角用の照明装置１０および狭角用の照明装置１０´は、各種の配光パターンに応じて、ダウンライトやスポットライト等の照明器具の光源部として用いられる。次に、上記照明装置を用いたダウンライトおよびスポットライトにつきその構成を説明する。まず、ダウンライトを構成する場合を説明する。
【００４０】
図４（ａ）に示すように、ダウンライト２０は、器具本体２１、光源部２２、光源を点灯するための電源部２３、電源部に電源を供給する電源端子台２４および化粧枠２５で構成する。
【００４１】
器具本体２１は、一端部に光源部２２および他端部に電源端子台２４を配設し、内部に電源部２３を収容するための両端が開放した円筒体をなす熱伝導性の良好なアルミニウム等の金属で構成する。また、器具本体２１は、円筒体内部の一端部の開口２１ａ側に位置して、仕切り板２１ｂを一体に形成し、開口と仕切り板との間に光源部２２を収納するための凹部からなる収納部２１ｃを一体に形成する。
【００４２】
光源部２２は、上述した広角用の照明装置１０を収納することにより構成する。すなわち、本実施例では、ダウンライト用の光源として部屋の中心部を主として照明し、周囲にわたり光度の変化が比較的少ない照明器具を構成するために、広角用の反射体１３を組み込んだ図３（ａ）に示す照明装置１０を光源部２２に採用する。
【００４３】
上記構成の照明装置１０は、基体１２を構成する回路基板の裏面側を、器具本体２１の仕切り板２１ｂに熱伝導性を有し電気絶縁性を有するシリコーン樹脂等からなる絶縁シートまたは接着剤等を介して密着させ、ネジ等の固定手段により支持して光源部２２内に収納され組み込まれる。これにより、照明装置１０の光軸ａ−ａが、円筒体からなる器具本体２１の中心軸ｂ−ｂに略合致し、さらに反射体１３の光出射部１３ｃが化粧枠２５の内側に位置して配設され、全体として平面視で略円形の発光面を有する光源部２２が構成される。また、透明なカバー部材２５ａにより反射体１３の貫通孔１３ｄに露出した各ＬＥＤ１１が保護され充電部が覆われる。
【００４４】
また、基体１２を構成する回路基板と仕切り板２１ｂが熱的に連結されて固定される。電源部２３は、上述のように器具本体２１の光源部２２に収納された照明装置１０を点灯させるための点灯回路を有し、リード線ｗ１により照明装置１０に配線接続され、電源端子台２４を介して１００Ｖの商用電源が供給される。
【００４５】
上記により、一端部の光源部２２に広角用の反射体１３を有する照明装置１０が組み込まれ、目的とする広角の配光特性を有するダウンライト２０が構成される。上記構成のダウンライト２０は、被設置面である天井等に単体若しくは複数個を送り用ケーブルにより接続させて設置される。点灯すると、各ＬＥＤ１１が発光し、ＬＥＤから放射された光は反射体１３の反射面１３ｂで反射しながら光出射部１３ｃから放射され、周囲にわたり光度の変化が比較的少ない配光特性をもって、部屋の中心部が比較的明るく、周囲にわたって徐々に暗くなる目的とするダウンライトとしての配光特性をもった照明を行う。
【００４６】
次に、上記に構成されたダウンライトによりスポットライトを構成する場合を説明する。まず、上記に構成されたダウンライト２０の広角用の反射体１３に対し、狭角用反射体１４を選択して装着し図３（ｂ）に示す照明装置１０´を構成する。すなわち、別部品として用意した、スプルー・ランナー１４ｇにより一体化された６個の狭角用反射体１４を用い、各狭角用反射体１４を反射体１３の６個の凹部１３ａに装着して狭角用の照明装置１０´を構成し、器具本体２１の光源部２２内に収納して組み込みスポットライト２０´を構成する。なお、透明なカバー部材２５ａの裏面側が狭角用反射体１４の鍔部１４ｅに当接し、狭角用反射体１４が反射体１３の凹部１３ａから抜け出ることが阻止される。また、カバー部材２５ａにより貫通孔１４ｄに露出した各ＬＥＤ１１が保護され充電部が覆われる。
【００４７】
このスポットライト２０´を点灯すると、各ＬＥＤ１１が発光しＬＥＤから放射された光は狭角用反射体１４の反射面１４ｂで反射しながら光出射部１４ｃから放射され、店舗等において中心光度を高くして展示物のみをスポット的に照明し、目的とするスポットライトとしての配光特性をもった照明を行うことができる。
【００４８】
また、設置する現場の状況に合わせて、照明の状況をみながら狭角用反射体１４の使用個数や、広角用の反射体１３の複数の凹部１３ａに対して装着が必要か否かを選択しながら凹部への装着位置などを適宜選択して調整し、目的とする配光特性を作り出して設置する。また、設置後に照明環境を変更する場合にも、同様に現地において狭角用反射体１４の個数や、反射体１３の凹部１３ａへの装着位置などを適宜選択し調整して設置し、変更された照明環境に合わせた目的とする配光特性を有する照明器具を都度現場で構成する。
【００４９】
以上、本実施例によれば、広角用の反射体１３に選択して装着される狭角用反射体１４により、広角の配光パターンを狭角の配光パターンに必要に応じて容易に変更させることができる。これにより、商品としての在庫は広角用の照明器具のみでよく、狭角用の照明器具は広角用照明器具の反射体に狭角用反射体を装着することにより構成することができ、商品ラインナップを減じることなく、かつ商品在庫を減少させることができる。
【００５０】
さらに、その装着作業は、狭角用反射体１４を反射体１３の凹部１３ａに単に挿入する単純な作業で行うことができる。特に、狭角用反射体１４はスプルー・ランナー１４ｇにより一体化され、６個の狭角用反射体１４を同時に装着することができ、一層作業を簡素化できる。また、６個の狭角用反射体１４を一体化するための手段としては樹脂成形時に必然的に生じるスプルー・ランナー１４ｇを利用することができ、格別の加工等を行う必要がなくコスト的にも有利になる。また、スプルー・ランナー１４ｇは装着時または取り外しの際の摘みしろとして利用することができ、より一層作業が容易になる。また、金属の蒸着時において、掴みしろなど蒸着用の冶具として使用することもでき、一層蒸着作業を楽に行うことができる。
【００５１】
さらに、反射体１３の表面に狭角用反射体１４のスプルー・ランナー１４ｇに対応して放射状に形成した溝１３ｇを形成し、この溝内にスプルー・ランナー１４ｇが収納されるようにしたので、６個の狭角用反射体１４を反射体１３の６個の凹部１３ａに対向させる際の位置決めの作用をさせることができ、さらに一層作業が容易になる。また、反射体１３を凹部１３ａで構成し、この凹部に狭角用反射体１４を嵌め込み装着するように構成したので、狭角用反射体１４を確実に支持することができ、安定した光学性能を発揮することができる。また、狭角用反射体１４の外面周面の形状を、反射体１３の「すり鉢状」の凹部に完全に合致する形状に構成して、所定の離間寸法を保持するようにすれば、両者が合致することにより、所謂テーパー結合により両者を強固に支持することができると共に、両者間の隙間がなくなってＬＥＤからの光が隙間に漏れることなく光ロスを発生させることがない。
【００５２】
さらに、狭角用反射体１４における凹部１４ａの貫通孔１４ｄの端部と、基体１２に実装された各ＬＥＤ１１との間は所定の寸法ａを有して離間されて装着されるので、導電性反射膜を施した狭角用反射体１４は基体１２と確実に電気絶縁がなされより安全な照明器具を提供することができる。同時に、狭角用反射体１４にアルミニウム等の金属を蒸着する際に、狭角用反射体１４における凹部１４ａの貫通孔１４ｄの端部など、基体１２の表面側と接触する可能性のある部分をマスキングすることなく、蒸着作業を行うことができ、手間のかかるマスキング作業を省略することができ、一層作業が簡素化されコスト的にも有利な照明器具を提供することができる。
【００５３】
さらに、一体化された６個の狭角用反射体１４は、スプルー・ランナー１４ｇから簡単に切り離すこといができる。このため、広角用の反射体１３の個々の凹部１３ａに対して装着するか否かを選択して、必要な個数の狭角用反射体１４を、どの位置にある凹部１３ａに対しても任意に自由に着脱が可能な状態にして嵌め込み装着することができ、各種の目的とする配光特性を得ることができる。しかも単に狭角用反射体１４に嵌め込む簡単な操作で目的とする任意の配光特性を容易に作り出すことができる。さらに、設置後に照明環境を変えた際にも、現場で狭角用反射体１４を着脱して使用個数や、配置場所を適宜選択し、照明の状況をみながら変更された照明環境に合わせることができる。また、雰囲気に合わせて都度、配光を変更することもできる。さらに、各種・多様な配光特性を有するバリエーションに富んだ照明器具を提供することも可能となる。
【００５４】
以上、本実施例において、６個の狭角用反射体１４は、同一形状に形成したが、図５に示すように、凹部１４ａ´からなる反射面１４ｂ´の傾斜角度や形状を変えた狭角用反射体１４´で構成し、それらを組み合わせて装着してもよい。
【００５５】
また、図６に示すように、一般照明用の白熱電球に置き換え可能な発光ダイオードを用いたＬＥＤ電球３０を構成してもよい。すなわち、ＬＥＤ電球３０は、本実施例の広角用の照明装置１０または必要に応じて狭角用の照明装置１０´を組み込んだ光源部３１と、点灯装置３２を収納したカバー部材３３と、口金３４で構成する。口金３４は一般照明用の白熱電球用のソケットに装着可能な、例えばＥ２６形口金で構成する。このＬＥＤ電球によれば、各種の配光特性を有するＬＥＤ電球を構成することができ、種々の照明環境に合わせた配光パターンを、電球の交換のみの簡易な操作で実現することが可能となる。なお、図６（ａ）は、広角用の照明装置１０を組み込んで構成した広角用のＬＥＤ電球３０を示し、図６（ｂ）は、狭角用の照明装置１０´を組み込んで構成した狭角用のＬＥＤ電球３０´を示している。
【００５６】
以上、本発明の好適な実施形態を説明したが、本発明は上述の実施例に限定されることなく、本発明の要旨を逸脱しない範囲内において、種々の設計変更を行うことができる。
【図面の簡単な説明】
【００５７】
【図１】本発明の実施形態に係る照明装置を示す斜視図。
【図２】同じく狭角用の照明装置を示す斜視図。
【図３】同じく照明装置を示し、（ａ）広角用の照明装置を示す断面図、（ｂ）は狭角用の照明装置を示す断面図。
【図４】同じく照明装置を組み込んだダウンライトを示し、（ａ）は広角用の照明装置を組み込んだダウンライトの縦断面図、（ｂ）は狭角用の照明装置を組み込んだスポットライト機能を有するダウンライトの縦断面図。
【図５】同じく照明装置の変形例を示す断面図。
【図６】同じく照明装置の変形例を示し、（ａ）は広角用の照明装置を組み込んだＬＥＤ電球を示す断面図、（ｂ）は狭角用の照明装置を組み込んだＬＥＤ電球を示す断面図。
【符号の説明】
【００５８】
１０  照明装置
１１  光源
１２  基体
１３  反射体
１４  照射角調整用反射体
２０、２０´、３０、３０´  照明器具
【図１】
2010073627.tif 000003
【図２】
2010073627.tif 000004
【図３】
2010073627.tif 000005
【図４】
2010073627.tif 000006
【図５】
2010073627.tif 000007
【図６】
2010073627.tif 000008